(57)【特許請求の範囲】
【請求項１】
固定壁にヒンジを介し枢着された扉の電気錠へコードを介し通電すべく、上記の固定壁と扉とにそれぞれ装着されて上記コードを保持するための一対のベース部材を具えるとともに、上記コードを挿通して上記一対のベース部材の相互間にＵ字型に配設される可撓性パイプと、同可撓性パイプの端部を挿通保持して上記ベース部材の下部に装着される短管とを備え、同短管が上記ベース部材に対し鉛直軸線のまわりに回動可能に緩やかに取り付けられていることを特徴とする、電気錠付き扉用通電装置。
【請求項２】
上記短管の上端に、同短管の外周側へ張り出すように形成されたフランジが設けられるとともに、同フランジの下側を緩やかに受けて上記短管の落下を防止する円弧状部分を具えた拘束部材が、上記ベース部材に装着されていることを特徴とする、請求項１に記載の電気錠付き扉用通電装置。
【請求項３】
上記可撓性パイプの端部が、上記短管の壁部に螺合する止めねじにより同短管に止着されていることを特徴とする、請求項１または２に記載の電気錠付き扉用通電装置。
【請求項４】
上記ベース部材が、同ベース部材の内部から上記コードを上方へ案内するための第１案内部と、同ベース部材の内部から上記コードを両側方のいずれかへ屈曲させて外側方へ案内すべく左右にそれぞれ形成された第２案内部とを具えて構成されたことを特徴とする、請求項１〜３のいずれか１つに記載の電気錠付き扉用通電装置。
【発明の詳細な説明】
【技術分野】
【０００１】
本発明は、電気錠を備えた開き戸（ヒンジ付き扉）のための通電装置に関し、特に固定壁側の電源から扉側の電気錠への通電を支障なく行えるようにした電気錠付き扉用通電装置に関する。
【背景技術】
【０００２】
一般に、開き戸において、図３に示すように、固定壁１に形成された出入口にヒンジ２を介し枢着された扉３に、電気錠４を新設する場合、固定壁１に沿い電源側からスイッチ操作盤13を介し送られてくる電力は、固定壁１におけるコード５に接続されたベース部材６から、扉３におけるベース部材６へ緩やかに弯曲して接続するように配設されたケーシングとしての可撓性パイプ７内を通過して電気錠４へ至るコード５を介し、送電されるように構成されている。
したがって、ヒンジ２を介し扉３の開閉が行われても、可撓性パイプ７の緩やかに弯曲したＵ字型の形状により、同パイプ７内のコード５がパイプ根元部分で受けるストレスで支障をきたすことは回避されるようになる。
【０００３】
しかしながら、従来のベース部材６では、図４に示すように、可撓性パイプ７の端部がＴ字型の固定金具としての拘束部材９Ａにより強固に緊締されているため、図３に示す扉３が頻繁に開閉される情況下では、可撓性パイプ７をかなり長くしないと、同パイプ７内のコード５が拘束部材９Ａの近傍で断線を生じる恐れがある。
そこで、可撓性パイプ７を長くして垂下させることが考えられるが、このようにすると見栄えの低下を招き著しく体裁が悪くなるほか、可撓性パイプ７が扉３の開閉の際に同扉３の表面に衝突して異音を発生する恐れもある。
【特許文献１】特開平１０−３３６８６５号公報
【発明の開示】
【発明が解決しようとする課題】
【０００４】
本発明は、電気錠を備えた開き戸において、固定壁側のベース部材から扉側のベース部材へ至るコード挿通用の可撓性パイプの装着手段の改良を図り、同パイプの上記ベース部材への装着部におけるパイプ端部を緩やかに支持できるようにして、同パイプ内のコードにかかるストレスの軽減を図ることにより、扉の頻繁な開閉にも支障なく対処できるようにした電気錠付き扉用通電装置を提供することを課題とする。
【課題を解決するための手段】
【０００５】
前述の課題を解決するため、本発明の電気錠付き扉用通電装置は、固定壁にヒンジを介し枢着された扉の電気錠へコードを介し通電すべく、上記の固定壁と扉とにそれぞれ装着されて上記コードを保持するための一対のベース部材を具えるとともに、上記コードを挿通して上記一対のベース部材の相互間にＵ字型に配設される可撓性パイプと、同可撓性パイプの端部を挿通保持して上記ベース部材の下部に装着される短管とを備え、同短管が上記ベース部材に対し鉛直軸線のまわりに回動可能に緩やかに取り付けられていることを特徴としている。
【０００６】
また、本発明の電気錠付き扉用通電装置は、上記短管の上端に、同短管の外周側へ張り出すように形成されたフランジが設けられるとともに、同フランジの下側を緩やかに受けて上記短管の落下を防止する円弧状部分を具えた拘束部材が、上記ベース部材に装着されていることを特徴としている。
【０００７】
さらに、本発明の電気錠付き扉用通電装置は、上記可撓性パイプの端部が、上記短管の壁部に螺合する止めねじにより同短管に止着されていることを特徴としている。
【０００８】
また、本発明の電気錠付き扉用通電装置は、上記ベース部材が、同ベース部材の内部から上記コードを上方へ案内するための第１案内部と、同ベース部材の内部から上記コードを両側方のいずれかへ屈曲させて外側方へ案内すべく左右にそれぞれ形成された第２案内部とを具えて構成されたことを特徴としている。
【発明の効果】
【０００９】
上述の本発明の電気錠付き扉用通電装置では、扉の電気錠へコードを介して通電できるように同扉と固定壁とにそれぞれ装着される一対のベース部材の相互間において、各ベース部材へのコード挿通用可撓性パイプの拘束手段が、同可撓性パイプの端部を挿通保持して上記ベース部材の下部に緩やかに装着される短管を介し行われるので、上記扉の開閉に際しては、上記ベース部材に対し上記可撓性パイプがかなりの自由度で相対的に回動できるようになり、これにより同可撓性パイプ内の給電用コードに生じるストレスは殆ど無くなって、本装置の耐久性の大幅な向上が期待される。
【００１０】
また、上記短管の上端に、同短管の外周側へ張り出したフランジが設けられて、同フランジの下側を緩やかに受ける円弧状部分を具えた拘束部材が上記ベース部材に装着されることにより、上記短管のかなり自由な動きを保証することができ、しかも同短管の脱落は同短管の上端のフランジに係合する上記拘束部材によって十分に防止されるようになる。したがって、上記短管に挿通保持されるコード挿通用可撓性パイプの保持も、その内部の通電用コードに過大なストレスをかけることなく適切に行われるようになる。
【００１１】
さらに本装置では、コードを内蔵する上記可撓性パイプの端部が、上記短管の壁部に螺合する止めねじを介し同短管に止着されることにより、同短管に対する上記可撓性パイプの上下移動も拘束されるので、扉の開閉の際の上記可撓性パイプの形状変化が適切にもたらされるようになる。
【００１２】
そして、上記ベース部材が、その内部から上記コードを上方へ案内しうる第１案内部を具えるとともに、同ベース部材の内部から上記コードを両側方のいずれかへ屈曲させて外側方へ案内できるように左右にそれぞれ形成された第２案内部を具えることにより、上記コードの配置の自由度が著しく高められるようになる。
【実施例】
【００１３】
図１は本発明の一実施例としての電気錠付き扉用通電装置におけるベース部材について、カバーを外した状態を示す斜視図、図２は上記カバーの斜視図である。
本実施例の場合も、前述の図３に示すように、固定壁１にヒンジ２を介し枢着された扉３の電気錠４へ、コード５を介し通電するための一対のベース部材６を具えている。
【００１４】
すなわち、固定壁１にヒンジ２を介し枢着された扉３に、電気錠４を新設する際に、同電気錠４へ通電できるように、固定壁１と扉３とに、それぞれ通電用コード５を保持するためのベース部材６が設けられる。
【００１５】
そして、一対のベース部材６の相互間にＵ字型に配設されてコード５を挿通される可撓性パイプ７と、同可撓性パイプ７の端部を挿通保持してベース部材６の下部に装着される短管８とが設けられている。
【００１６】
短管８はベース部材６に対し鉛直軸線のまわりに回動可能に緩やかに取り付けられており、その取り付け手段としては、短管８の上端において同短管８の外周側へ張り出すように形成されたフランジ８ｆの下側を、ベース部材６にねじ止めにより装着された拘束部材９の円弧状部分９ａで緩やかに受けることにより、同短管８の落下を防止できるようにした構成が採用されている。
【００１７】
このようにして設けられた短管８には、可撓性パイプ７の端部が挿通されて、短管８の壁部に螺合し同壁部を貫通する止めねじ８ａにより、可撓性パイプ７の端部が短管８に止着される。
【００１８】
これにより、可撓性パイプ７の端部は、短管８と一体の状態で拘束部材９の内側に緩やかに拘束されており、扉３の開閉に伴い、拘束部材９の円弧状部分９ａの内部で可撓性パイプ７の端部の微小回動が許容されるように構成されている。
【００１９】
また、ベース部材６には、同ベース部材６の内部からコード５を上方へ案内するための第１案内部11と、上記ベース部材６の内部からコード５を両側方のいずれかへ屈曲させて外側方へ案内できるように左右にそれぞれ形成された第２案内部12，12とが設けられている。
さらに、ベース部材６には、図３に示すカバー６ａが装着されるようになっている。なお、カバー６ａには、図１に示すコード５を引き出す場合に破断して通路を形成できるように、薄肉部分としてのノックアウトＫが形成される。
【００２０】
上述の本実施例の電気錠付き扉用通電装置では、扉３の電気錠４へコード５を介して通電できるように同扉３と固定壁１とにそれぞれ装着される一対のベース部材６，６の相互間において、各ベース部材６へのコード挿通用可撓性パイプ７の拘束手段が、同可撓性パイプ７の端部を挿通保持して上記ベース部材６の下部に緩やかに装着される短管８を介し行われるので、扉３の開閉に際しては、ベース部材６に対し可撓性パイプ７がかなりの自由度で矢印Ｒのように相対的に往復回動できるようになり、これにより同可撓性パイプ７内の給電用コード５に生じるストレスは殆ど無くなって、本装置の耐久性の大幅な向上が期待される。
【００２１】
また、短管８の上端に、同短管８の外周側へ張り出したフランジ８ｆが設けられて、同フランジ８ｆの下側を緩やかに受ける円弧状部分９ａを具えた拘束部材９がベース部材６に装着されることにより、短管８のかなり自由な動きを保証することができ、しかも同短管８の脱落は同短管８の上端のフランジ８ｆに係合する拘束部材９によって十分に防止されるようになる。したがって、短管８に挿通保持されるコード挿通用可撓性パイプ７の保持も、その内部の通電用コード５に過大なストレスをかけることなく適切に行われるようになる。
【００２２】
さらに本装置では、コード５を内蔵する可撓性パイプ７の端部が、短管８の壁部に螺合する止めねじ８ａを介し同短管８に止着されることにより、同短管８に対する可撓性パイプ７の上下移動も拘束されるので、扉３の開閉の際の可撓性パイプ７の形状変化が適切にもたらされるようになる。
【００２３】
そして、ベース部材６が、その内部からコード５を上方へ案内しうる第１案内部11を具えるとともに、同ベース部材６の内部からコード５を両側方のいずれかへ屈曲させて外側方へ案内できるように左右にそれぞれ形成された第２案内部12，12を具えることにより、コード５の配置の自由度が著しく高められるようになる。
【図面の簡単な説明】
【００２４】
【図１】本発明の一実施例としての電気錠付き扉用通電装置におけるベース部材について、カバーを外した状態を示す斜視図である。
【図２】上記カバーを示す斜視図である。
【図３】電気錠付き扉への配線状態を示す説明図である。
【図４】従来のベース部材について、カバーを外した状態を示す正面図である。
【符号の説明】
【００２５】
１  固定壁
２  ヒンジ
３  扉
４  電気錠
５  コード
６  ベース部材
６ａ  カバー
７  可撓性パイプ
８  短管
８ａ  止めねじ
８ｆ  フランジ
９  拘束部材
９Ａ  拘束部材（固定金具）
９ａ  円弧状部分
11  第１案内部
12  第２案内部
13  スイッチ操作盤
Ｋ  ノックアウト
Ｒ  往復回動の方向
【図１】
0005071669.tif 000002
【図２】
0005071669.tif 000003
【図３】
0005071669.tif 000004
【図４】
0005071669.tif 000005